(57)【要約】【課題】  巻尺を安全にかつ簡便に携帯することができ、着脱操作が簡単な巻尺携帯保持具を提供する。【解決手段】  巻尺１には逆三角形状の差込体２が取り付けられている。巻尺携帯保持具５には、ベルトに挿通されるベルト挿通孔６が設けられている。前面には差込体保持部７がＶ字状に設けられ、その内側が差込体保持空間となっており、この空間内に傾斜面を有する脱落防止用の爪８が臨出している。差込体を差込体保持部をガイドとして差込体保持空間に差し込むと、爪が後退した後、復元力で差込体の上部を押さえて保持する。解除部材９を押し下げると、爪が後退して保持が解除される。【選択図】  図１
2006250887.tif 000002
【特許請求の範囲】
【請求項１】
前方の壁部材と後方の壁部材とが上下で連結され、その間の側方からベルトを挿通可能なベルト挿通孔が形成された巻尺携帯保持具であって、前記前方の壁部材に配置され、上方から差し込まれる巻尺に取り付けられた差込体の両側部に係合するようにして該差込体をガイドするとともに、前記差込体を保持する差込体保持空間を形成する差込体保持部と、前記差込体保持空間に保持される前記差込体の上部の位置に臨出して前記差込体の抜け出しを抑える後退可能な脱落防止用の爪と、前記差込体の上部の位置に臨出した前記脱落防止用の爪を前記差込体保持空間から後方に引き込ませる解除部材を有し、前記脱落防止用の爪は、下方に行くほど前方に出る傾斜面を有するとともに、後方に押されたときに前方に向く復元力が発生するように設けられており、前記解除部材は、下方に移動可能に設けられているとともに、前記傾斜面に係合する係合部を有し、前記解除部材を下方に移動することによって前記係合部が前記傾斜面を摺動して前記脱落防止用の爪を後方に引き込ませるものであることを特徴とする巻尺携帯保持具。
【請求項２】
前記脱落防止用の爪は弾性を有する合成樹脂で形成されたことを特徴とする請求項１に記載の巻尺携帯保持具。
【請求項３】
前記差込体は上方から下方に向けて幅が狭くなる形状であり、前記差込体保持部も上方から下方に向けて幅が狭くなる保持空間を形成するように配置されていることを特徴とする請求項１または２に記載の巻尺携帯保持具。
【請求項４】
前記差込体は上方から下方に向けて同じ幅となる形状であり、前記差込体保持部も上方から下方に向けて同じ幅となる保持空間を形成するように配置されており、前記保持空間の下方に、前記差込体の下方への脱落を防止する止め部が形成されていることを特徴とする請求項１ないし３のいずれか１項に記載の巻尺携帯保持具。
【請求項５】
前方の壁部材と後方の壁部材との連結部に巻尺を係留するための係留部材を取り付ける孔を形成したことを特徴とする請求項１ないし４のいずれか１項に記載の巻尺携帯保持具。
【発明の詳細な説明】
【技術分野】
【０００１】
本発明は、計測工具である巻尺を、安全にかつ簡便に携帯することができ、着脱操作が簡単な巻尺携帯保持具に関するものである。
【背景技術】
【０００２】
従来一般に市販されている巻尺には、作業者のベルトに着脱できるベルトフックが装填されているのが普通である。このベルトフックで、巻尺を作業ベルトに掛けた場合、脱落しやすく、また、ベルトに掛けにくいという問題がある。高所の作業において、作業ベルトから巻尺が落下した場合には、下方で作業する作業員への危険を伴う。
【０００３】
このような不便さに対し、今までにも巻尺の専用保持具が提案されてきた。例えば、特許文献１に記載された巻尺携帯ケースは、係合爪にベルトフックが挿入されるものであるから、巻尺の保持力は、フックのばね力であり、巻尺携帯ケースから巻尺が落下することがることは避けられない。
【０００４】
特許文献２に記載された形態工具用ホルダでは、ベルトフックに代えて、携帯工具に差込みブラケットを固定し、この差込みブラケットをホルダ本体の溝に挿入して保持し、ストッパーで引き抜けを防止するようにしている。ストッパーは差込みブラケットの後端角部の一方に係合するものであり、保持の解除は、斜め下方に延びる傾斜面での強制的なスライドにて差込みブラケットとの接触を解除するものであるから、拇指でストッパーをスライドさせるようにすると、右利き用と左利き用との２種類を用意しなければならず、ユーザも、右利きであるか、左利きであるかによって、自分に適したホルダを購入しなければならないという問題がある。
【０００５】
特許文献３に記載された携帯ホルダも、器具側に差込体を取り付けるものである。ロック解除部は、両側から拇指と食指でつまむようにして、解除するものであるから、対称的である利点があるが、解除のために拇指と食指が必要であるから、巻尺のように重量のある器具のために用いると、解除状態で巻尺を握ることが容易でないという問題がある。
【特許文献１】実開平５−４５５０２号公報
【特許文献２】特開２００３−１２７０７２号公報
【特許文献２】特開２００４−２０２１６４号公報
【発明の開示】
【発明が解決しようとする課題】
【０００６】
本発明は、上述した事情に鑑みてなされたもので、巻尺を安全にかつ簡便に携帯することができ、着脱操作が簡単な巻尺携帯保持具を提供することを目的とするものである。
【課題を解決するための手段】
【０００７】
本発明は、前方の壁部材と後方の壁部材とが上下で連結され、その間の側方からベルトを挿通可能なベルト挿通孔が形成された巻尺携帯保持具であって、前記前方の壁部材に配置され、上方から差し込まれる巻尺に取り付けられた差込体の両側部に係合するようにして該差込体をガイドするとともに、前記差込体を保持する差込体保持空間を形成する差込体保持部と、前記差込体保持空間に保持される前記差込体の上部の位置に臨出して前記差込体の抜け出しを抑える後退可能な脱落防止用の爪と、前記差込体の上部の位置に臨出した前記脱落防止用の爪を前記差込体保持空間から後方に引き込ませる解除部材を有し、前記脱落防止用の爪は、下方に行くほど前方に出る傾斜面を有するとともに、後方に押されたときに前方に向く復元力が発生するように設けられており、前記解除部材は、下方に移動可能に設けられているとともに、前記傾斜面に係合する係合部を有し、前記解除部材を下方に移動することによって前記係合部が前記傾斜面を摺動して前記脱落防止用の爪を後方に引き込ませるものであることを特徴とするものである。
【発明の効果】
【０００８】
本発明によれば、巻尺に取り付けられた差込体を、ベルトに装着された巻尺携帯保持具における差込体保持部によって形成された差込体保持空間に差し込むことによって簡単に保持させることができ、保持された巻尺は、差込体の上部の位置に臨出可能に設けられ脱落防止用の爪で抜け出しを確実に防止され、また、巻尺を巻尺携帯保持具から外す動作も、解除部材を下方に移動させるという簡単な操作で行なうことができるという効果がある。
【発明を実施するための最良の形態】
【０００９】
前方の壁部材に配置され、上方から差し込まれる巻尺に取り付けられた差込体の両側部に係合するようにして差込体をガイドしてするとともに、差込体を保持する差込体保持空間を形成する差込体保持部と、差込体保持空間に保持される差込体の上部の位置に臨出して前記差込体の抜け出しを抑える後退可能な脱落防止用の爪とによって、巻尺を確実に保持し、一方、脱落防止用の爪が、下方に行くほど前方に出る傾斜面を有するとともに、後方に押されたときに前方に向く復元力が発生するように設けられているのに対して、傾斜面に係合する係合部を有する解除部材を用いて、解除部材を下方に移動させるという簡単な操作で、脱落防止用の爪を後方に引き込ませてロックされた巻尺を巻尺携帯保持具から解除できる。下方に移動された解除部材から指を放せば、脱落防止用の爪の傾斜面と前方への復元力によって、解除部材を傾斜面に沿って上方の位置に戻すことができる。
【実施例１】
【００１０】
図１，図２は、本発明の巻尺携帯保持具の第１の実施例を説明するためのものである。図１は斜め前方からみた斜視図、図２は斜め後方からみた斜視図である。図中、１は巻尺、２は差込体、３は取付部、４は止めネジ、５は巻尺携帯保持具、６はベルト挿通孔、７は差込体保持部、８は脱落防止用の爪、９は解除部材である。
【００１１】
差込体２は、差込体２と一体化された取付部３と止めネジ４とによって、巻尺１に取り付けられている。巻尺携帯保持具５の後部には、ベルト挿通孔６が形成されており、巻尺携帯保持具５のベルト挿通孔６に使用者のベルトを通すことによって、巻尺携帯保持具５を使用者のベルトに装着することができる。巻尺携帯保持具５の前側には、差込体保持部７が設けられている。差込体保持部７は、差込体２の形状に対応する形状である。この実施例では、差込体２の形状を、上方から下方に向けて直線的に幅が狭くなる形状、換言すれば、逆三角形の形状としたから、差込体保持部７の形状も、上方から下方に向けて直線的に幅が狭くなる形状である。
【００１２】
差込体保持部７の断面形状は、巻尺携帯保持具５の前方の壁の表面からほぼ直角に突出して、先端部が巻尺携帯保持具５の前方の壁の表面とほぼ平行するように、かつ、相対する方向に曲げられた鈎状の形状となっている。この差込体保持部７によって、その内側に差込体保持空間が形成されている。差込体保持空間内には、脱落防止用の爪８が臨出している。巻尺１に取り付けられた差込体２を、差込体保持部７をガイドとして、差込体保持空間に差し込むと、脱落防止用の爪８が後方に押さえ込まれるが、差込体２が差込体保持空間に納められた状態で、前方に向く復元力によって、脱落防止用の爪８が差込体２の上部の位置に臨出して、差込体２の抜け出しを抑えることができる。したがって、巻尺１が巻尺携帯保持具５に保持される。巻尺携帯保持具５に保持された巻尺１は、解除部材９を下方に向けて押すことで、脱落防止用の爪８を後退させることによって、巻尺携帯保持具５から外すことができるが、その詳細は後述する。
【００１３】
図３〜図５は、巻尺携帯保持具５を説明するためのものである。図３において、（Ａ）は上面図、（Ｂ）は底面図、（Ｃ）は左側面図、（Ｄ）は正面図、（Ｅ）は右側面図、（Ｆ）は背面図、（Ｇ）は（Ｄ）のＡ−Ａ線断面図であり、図４，図５は、分解斜視図であり、図４は斜め前方からみた斜視図、図５は斜め後方からみた斜視図である。図中、図１と同じ部分は同じ符号を付して説明を省略する。９ａは押圧部、９ｂは係合部、９ｃは被係止部、９ｄは突起部、１０は連結部、１１は保持具本体部材、１１ａは前部壁、１１ｂは後部壁、１１ｃは突条部、１１ｄは隆起部、１２は前板部材、１３は止めネジである。
【００１４】
図４，図５から分かるように、この実施例では、巻尺携帯保持具は、解除部材９と保持具本体部材１１と、前板部材１２との３つの部材で構成されている。解除部材９は、保持具本体部材１１と前板部材１２に挟まれるようにして上下動が可能なように組み立てられている。
【００１５】
保持具本体部１１は、前部壁１１ａと後部壁１１ｂとが連結部１０で連結された構成であり、前部壁１１ａと後部壁１１ｂとの間にベルト挿通孔６が形成されている。したがって、使用者の腰に巻かれた図示しない作業ベルトに挿通されるようにして、巻尺携帯保持具が、使用者の体に取り付けられる。後部壁１１ｂは、図３（Ｅ）や図５から分かるように、左右に２つに分離して形成されているので、縦に幅広の隙間が形成されているが、この隙間をなくして１枚となるように形成されてもよく、また、３枚以上に分離されて形成されてもよい。突条部１１ｃは、後述する前板部材１２を固定する際の位置決めの役割を果たすものである。
【００１６】
保持具本体部１１の中央部にスリットが開けられて、脱落防止用の爪８が下方に延びるように形成されている。この実施例では、保持具本体部１１を弾性を有する合成樹脂で形成して、脱落防止用の爪８に弾性を付与している。したがって、脱落防止用の爪８が後方に押されると、脱落防止用の爪８は、元の位置に戻ろうとする前方に向く復元力が発生する。また、保持具本体部１１には、脱落防止用の爪８の下方に隆起部１１ｄが形成されている。隆起部１１ｄは、差込体収納空間に差し込まれた差込体を載置するためのもので、前板部材１２に形成された差込体保持部７の張り出し部の内面と隆起部１１ｄとの隙間を差込体の厚さに対応させることによって、収納された差込体のガタ、すなわち、巻尺携帯保持具に保持された巻尺のガタを抑えることができ、安定した保持を実現できる。
【００１７】
なお、脱落防止用の爪８には、下方に行くほど前方に出るような傾斜面が形成されている。この実施例では、図４から分かるように、傾斜面が形成された部分は、下方に行くほど厚みが増加するようにして形成されているが、脱落防止用の爪８の厚みを増加させなくてもよく、脱落防止用の爪８をほぼ一様な厚さにし、下方を前方に向けて曲げるようにして傾斜面を形成するようにしてもよい。上述したように、脱落防止用の爪８を弾性を有する樹脂を材料で形成した場合には、傾斜面が形成された部分は、下方に行くほど厚みが増加するようにして形成した方が、保持具本体部１１との接続部分が曲げやすくなり、後方に押された場合の復元力を有効に発生させることができる。なお、復元力は、バネ部材等用いて発生させることもできる。
【００１８】
保持具本体部１１の前面に、前板部材１２が設けられている。前板部材１２には、その前面側に差込体保持部７が設けられている。この実施例では、差込体保持部７は、Ｖ字状となるように、２つに分離された形状で形成されているが、一連につながるような形状としてもよい。Ｖ字状の内側に差込体保持空間が形成されているが、差込体保持部７には、この差込体収納空間の両側部（差し込まれた差込体の両側部）を覆うように張り出し部が形成されており、差込体を差し込む際のガイドをするとともに、差込体収納空間に差し込まれた差込体の前面への抜け出しを防止している。
【００１９】
保持具本体部１１の前部壁１１ａと前板部材１２とが止めネジ１３で一体化されて、巻尺携帯保持具における前方の壁部材が構成され、保持具本体部１１の後部壁１１ｂを後方の壁部材として、連結部１０で連結されて、ベルト挿通孔６が形成され、巻尺携帯保持具を使用者のベルトによって携帯させることができるのである。
【００２０】
解除部材９は、保持具本体部１１と前板部材１２との間に挟まれるようにして取り付けられる。上部に押圧部９ａが設けれ、これを、望ましくは拇指で下方に押して移動させることによって、保持した巻尺を巻尺携帯保持具から外すことができるのである。この解除部材９において、脱落防止用の爪８に衝合する部分に係合部９ｂが形成されている。解除部材９が下方に移動するにつれて、係合部９ｂが下方に移動して脱落防止用の爪８の傾斜面に衝合するから、脱落防止用の爪８は、差込体収納空間から後退する。係止部９ｃは、脱落防止用の爪８の両側に位置するように解除部材９に形成されており、解除部材９が押圧されたときに、差込体保持部７の側部の内面に突き当たって、解除部材９の下方への移動の下限位置を規制している。この下限位置に解除部材９が下降したときに、脱落防止用の爪８は、差込体収納空間に収納された差込体の上方への脱出を許容する。突起部９ｄは、例えば、半球状に形成され、解除部材９と前板部材１２の内面との接触面積を減少させて、解除部材９を押圧しやすくしている。
【００２１】
図４〜図５で、この実施例の巻尺携帯保持具の組立について説明する。保持具本体部材１１の前部壁１１ａの表面に解除部材９を載せ、その上から前板部材１２を被せ、止めネジ１３で、前板部材１２を保持具本体部１１に固定することによって、組み立てが完了する。
【００２２】
図６〜図１３は、巻尺と差込体との関係を説明するためのものである。図６は、差込体の斜視図であり、図６（Ａ）は斜め後方からみた斜視図、図６（Ｂ）は斜め前方からみた斜視図である。図７〜図１１は、差込体を巻尺に取り付けた状態を説明するためのもので、図７は斜め後方からみた斜視図、図８は斜め前方からみた斜視図、図９は上方の斜め後方からみた斜視図、図１０は正面図、図１１は背面図、図１２は右側面図、図１３は左側面図である。図中、図１〜図５と同じ部分には同じ符号を付して説明を省略する。１ａは凹状部である。
【００２３】
差込体２の裏側には、取付部３が設けられている。取付部３の両側部は、差込体２を差込体保持部に差し込む際に、差込体保持部の張り出し部に邪魔にならないように、差込体２の両側部よりも後退して設けられている。そして、取付部３は、巻尺１に形成された凹状部（通常は、ベルトクリップを取り付けるために凹状部が形成されている。）に嵌合するように設計されている。この実施例では、取付部３の左右の上端および逆三角形状の下端が、凹状部１ａに嵌合して、差込体２を止めネジ４で取り付けた固定状態を強固なものとしている（図７，図９，図１１）。このように差込体２の取付部３を巻尺１の凹状部に嵌合させて取り付けた状態において、差込体２が巻尺携帯保持具の差込体保持部に差し込まれる部分は、取付部３によって、巻尺１の表面と隙間をおいて、浮き上がった状態で取り付けられている（図１２，図１３）。巻尺１の表側からは、取り付けた差込体２は見えない（図４，図１０）。
【００２４】
ここで、図１，図２戻って、挿入動作について説明しておく。巻尺１に取り付けられた差込体２を差込体保持部７に挿入すると、脱落防止用の爪８が差込体２によって後方に押さえ込まれて後退するが、差込体２が差込体保持空間に納められた状態では、差込体２の上端が脱落防止用の爪８の下端を通過しているから、脱落防止用の爪８は、前方に向く復元力によって、差込体２の上部の中央の位置に臨出して、差込体２の抜け出しを抑えることができる。したがって、巻尺１が巻尺携帯保持具５に保持される。
【００２５】
図１４〜図２３は、差込体２の挿入動作によって巻尺携帯保持具５に巻尺１が保持させた状態を説明するためのものである。図１４は斜め後方からみた斜視図、図１５は斜め前方からみた斜視図、図１６は上方の斜め後方からみた斜視図、図１７は正面図、図１８は背面図、図１９は右側面図、図２０は左側面図、図２１は上面図、図２２は底面図、図２３は巻尺携帯保持具を断面図で示したものある。図中、図１〜図５と同じ部分には同じ符号を付して説明を省略する。なお、使用者のベルトの図示は省略した。
【００２６】
巻尺１が巻尺携帯保持具５に保持された状態では、解除部材９は上方の位置となっている。そして、巻尺携帯保持具５の上端は、巻尺１の上端よりもやや高い位置となっているが、保持状態における巻尺１の上端の高さは、解除部材９の操作を妨げない高さであればよい。また、巻尺１が巻尺携帯保持具５に保持された状態で、巻尺１は、フックが下方を向くような姿勢となるように、巻尺１に差込体２が取り付けられているが、巻尺１を保持する姿勢は適宜でよく、フックが下方を向くような姿勢に限られるものではない。
【００２７】
図２３の断面図では、差込体２の上部が脱落防止用の爪８で押さえられ、差込体２の表面が巻尺携帯保持具５の隆起部１１ｄに密着している様子が示されている。差込体２の上部が脱落防止用の爪８で押さえられ、差込体２の表面が巻尺携帯保持具５の隆起部１１ｄに密着している様子が示されている。このように、差込体を保持する差込体保持空間が差込体２に合致してガタが生じないようにし、保持状態において、差込体２の上部と脱落防止用の爪の下端部との間にガタが生じないようにすることによって、より安定した保持が可能である。差込体２の上部と脱落防止用の爪の下端部との係合位置も、差込体２の上部の中央部とするのが、より安定となるので、望ましい。
【００２８】
図２４は、本発明の巻尺携帯保持具の解除動作を説明するためのものである。図２４において、（Ａ）は上面図、（Ｂ）は底面図、（Ｃ）は左側面図、（Ｄ）は正面図、（Ｅ）は右側面図、（Ｆ）は背面図、（Ｇ）は（Ｄ）のＡ−Ａ線断面図である。図中、図３と同じ部分には同じ符号を付して説明を省略する。９ｂは係合部（図４，図５参照）である。
【００２９】
解除部材９の押圧部９ａを下方に押し下げることによって、解除部材９の係合部９ｂが下方に移動する。下方に移動する係合部９ｂは、移動するにつれて、脱落防止用の爪８の傾斜面に衝合する。すなわち、解除部材９が下方に移動するにつれて、脱落防止用の爪８が、差込体収納空間から後退して、やがて、脱落防止用の爪８の上部から外れて、差込体収納空間に収納された差込体の上方への脱出を許容する。図２４は、脱落防止用の爪８が、差込体収納空間から後退した状態を示しているが、このときの解除部材９の解除位置は、下降の下限位置であることに限られるものではなく、下限位置の近傍、例えば、解除部材９の下降のストロークの８０％程度以上を下降した位置としてもよい。下方に移動された解除部材９の押圧部９ａから指を放せば、脱落防止用の爪８に蓄積された復元力によって、脱落防止用の爪８は前方に復帰しようとするが、係合部９ｂが傾斜面に係合されていることによって、解除部材９を上方に移動させる分力を生じる。この分力によって、解除部材９を傾斜面に沿って上方の位置に戻すことができ、脱落防止用の爪８は、差込体保持空間に臨出する位置に戻る。
【００３０】
図２５〜図３２は、解除部材９の押圧動作によって巻尺携帯保持具５に保持された巻尺１を外すことができる解除状態を説明するためのものである。図２５は上方の斜め後方からみた斜視図、図２６は正面図、図２７は背面図、図２８は右側面図、図２９は左側面図、図３０は上面図、図３１は底面図、図３２は巻尺携帯保持具を断面図で示したものある。図中、図１〜図５と同じ部分には同じ符号を付して説明を省略する。なお、使用者のベルトの図示は省略した。
【００３１】
解除部材９の押圧部９ａが押圧されて、解除部材９が下降した状態では、解除部材９は下方に位置されている。図３２の断面図から分かるように、脱落防止用の爪８は、差込体２の上部から後退して、差込体２を上方に抜け出すことができる。したがって、例えば、拇指で押しながら、他の４本の指で巻尺１を掴んで上方に引き上げることによって、巻尺１を巻尺携帯保持具５から外すことができる。
【００３２】
この実施例では、差込体２の形状を上方から下方に向けて直線的に幅が狭くなる形状、すなわち、逆三角形の形状としたが、曲線的に上方から下方に向けて幅が狭くなる形状としてもよい。また、本発明の差込体２の形状は、必ずしも、上方から下方に向けて幅が狭くなる形状に限られるものでもない。
【実施例２】
【００３３】
図３３，３４は、本発明の巻尺携帯保持具の第２の実施例を説明するためのもので、図３３は巻尺に取り付けられた差込体を説明するための斜視図、図３４は巻尺携帯保持具の斜視図で、（Ａ）は斜め前方からみた斜視図、（Ｂ）は斜め後方からみた斜視図である。図中、図１，図２と同様の部分には同じ符号を付して説明を省略する。７ａは止め部である。
【００３４】
この実施例では、差込体２の形状を上方から下方に向けて同じ幅となる形状とした。差込体２の形状に伴って、差込体保持部７も、差込体２に合致するように、上方から下方に向けて同じ幅となる形状とした。
【００３５】
第１の実施例では、差込体保持部７の形状が上方から下方に向けて幅が狭くなる形状であるため、差込体保持部７から差込体２が下方に脱落することはないが、この実施例のように、差込体保持部７の形状が、上方から下方に向けて同じ幅となる形状では、差込体２が差込体保持部７の下方から抜け落ちてしまう。そこで、差込体保持部７の下方に、差込体２の下方への脱落を防止する止め部７ａが形成されている。なお、この実施例では、止め部７ａを差込体保持部７につなげて形成したが、差込体保持部７との間に隙間を開けて係止してもよい。要は、下方へ脱落しようとする差込体２を止められる形状であればよいことは勿論である。
【００３６】
図３５は、この実施例の巻尺携帯保持具５を上方の斜め後方からみた斜視図である。上下左右の連結部１０に挿通孔５ａが貫通されている。この挿通孔５ａに紐などの係留部材を取り付けることができる。
【００３７】
図３６は、巻尺携帯保持具５と巻尺１を係留部材１４で接続した状態の斜視図である。この接続例では、伸縮が可能なコイルバネ形状の連結部材１４を用いた。連結部材１４の一端は、巻尺１のストラップ取付部に取り付けられ、他端には、接続環１５が取り付けられている。接続環１５を巻尺携帯保持具５のいずれかの挿通孔５ａに取り付けることによって、巻尺携帯保持具５と巻尺１とが接続される。巻尺携帯保持具５は使用者のベルトに装着されているから、巻尺１を使用中に不用意に手から落としても、巻尺１は、巻尺携帯保持具５から吊り下げられ、落下することを防止できる。巻尺１を巻尺携帯保持具５に保持させる際に不用意に巻尺１を落下させた場合にも、落下が防止できる。
【００３８】
なお、巻尺携帯保持具５に挿通孔５ａを形成して、係留部材１４によって、巻尺１を巻尺携帯保持具５に接続することは、この実施例に限られるものではなく、第１の実施例を含めて本発明の巻尺携帯保持具に適宜に適用できるものである。
【産業上の利用可能性】
【００３９】
本発明の巻尺携帯保持具は、落下が問題となるような現場で使用する巻尺に適用して、有効である。また、ベルトに保持させるのが便利な巻尺にも、本発明の巻尺携帯保持具を有効に適用できる。
【図面の簡単な説明】
【００４０】
【図１】本発明の第１の実施例の巻尺携帯保持具を斜め前方からみた斜視図である。
【図２】図１の巻尺携帯保持具を斜め後方からみた斜視図である。
【図３】図１の巻尺携帯保持具の説明図である。
【図４】図１の巻尺携帯保持具を斜め前方からみた分解斜視図である。
【図５】図１の巻尺携帯保持具を斜め後方からみた分解斜視図である。
【図６】本発明の第１の実施例に用いられる差込体の斜視図である。
【図７】図６の差込体を巻尺に取り付けた状態を斜め後方からみた斜視図である。
【図８】図６の差込体を巻尺に取り付けた状態を斜め前方からみた斜視図である。
【図９】図６の差込体を巻尺に取り付けた状態を上方の斜め後方からみた斜視図である。
【図１０】図６の差込体を巻尺に取り付けた状態の正面図である。
【図１１】図６の差込体を巻尺に取り付けた状態の背面図である。
【図１２】図６の差込体を巻尺に取り付けた状態の右側面図である。
【図１３】図６の差込体を巻尺に取り付けた状態を左側面図である。
【図１４】図１の巻尺携帯保持具に巻尺を保持させた状態を斜め後方からみた斜視図である。
【図１５】図１の巻尺携帯保持具に巻尺を保持させた状態を斜め前方からみた斜視図である。
【図１６】図１の巻尺携帯保持具に巻尺を保持させた状態を上方の斜め後方からみた斜視図である。
【図１７】図１の巻尺携帯保持具に巻尺を保持させた状態の正面図である。
【図１８】図１の巻尺携帯保持具に巻尺を保持させた状態の背面図である。
【図１９】図１の巻尺携帯保持具に巻尺を保持させた状態を右側面図である。
【図２０】図１の巻尺携帯保持具に巻尺を保持させた状態を左側面図である。
【図２１】図１の巻尺携帯保持具に巻尺を保持させた状態を上面図である。
【図２２】図１の巻尺携帯保持具に巻尺を保持させた状態を底面図である。
【図２３】図１の巻尺携帯保持具に巻尺を保持させた状態において巻尺携帯保持具を断面図で示したものある。
【図２４】図１の巻尺携帯保持具の解除動作の説明図である。
【図２５】図１の巻尺携帯保持具に巻尺を保持させて解除した状態を上方の斜め後方からみた斜視図である。
【図２６】図１の巻尺携帯保持具に巻尺を保持させて解除した状態の正面図である。
【図２７】図１の巻尺携帯保持具に巻尺を保持させて解除した状態の背面図である。
【図２８】図１の巻尺携帯保持具に巻尺を保持させて解除した状態の右側面図である。
【図２９】図１の巻尺携帯保持具に巻尺を保持させて解除した状態の左側面図である。
【図３０】図１の巻尺携帯保持具に巻尺を保持させて解除した状態の上面図である。
【図３１】図１の巻尺携帯保持具に巻尺を保持させて解除した状態の底面図である。
【図３２】図１の巻尺携帯保持具に巻尺を保持させて解除した状態において巻尺携帯保持具を断面図で示したものある。
【図３３】本発明の第２の実施例に用いる差込体を巻尺に取り付けられた状態の斜視図である。
【図３４】本発明の第２の実施例の巻尺携帯保持具の斜視図である。
【図３５】図３４の巻尺携帯保持具を上方の斜め後方からみた斜視図である。
【図３６】巻尺携帯保持具と巻尺を係留部材で接続した状態の斜視図である。
【符号の説明】
【００４１】
１…巻尺、１ａ…凹状部、２…差込体、３…取付部、４…止めネジ、５…巻尺携帯保持具、５ａ…挿通孔、６…ベルト挿通孔、７…差込体保持部、８…脱落防止用の爪、９…解除部材、９ａ…押圧部、９ｂ…係合部、９ｃ…被係止部、９ｄ…突起部、１０…連結部、１１…保持具本体部材、１１ａ…前部壁、１１ｂ…後部壁、１１ｃ…突条部、１１ｄ…隆起部、１２…前板部材、１３…止めネジ、１４…係留部材、１５…接続環。
【図１】
2006250887.tif 000003
【図２】
2006250887.tif 000004
【図３】
2006250887.tif 000005
【図４】
2006250887.tif 000006
【図５】
2006250887.tif 000007
【図６】
2006250887.tif 000008
【図７】
2006250887.tif 000009
【図８】
2006250887.tif 000010
【図９】
2006250887.tif 000011
【図１０】
2006250887.tif 000012
【図１１】
2006250887.tif 000013
【図１２】
2006250887.tif 000014
【図１３】
2006250887.tif 000015
【図１４】
2006250887.tif 000016
【図１５】
2006250887.tif 000017
【図１６】
2006250887.tif 000018
【図１７】
2006250887.tif 000019
【図１８】
2006250887.tif 000020
【図１９】
2006250887.tif 000021
【図２０】
2006250887.tif 000022
【図２１】
2006250887.tif 000023
【図２２】
2006250887.tif 000024
【図２３】
2006250887.tif 000025
【図２４】
2006250887.tif 000026
【図２５】
2006250887.tif 000027
【図２６】
2006250887.tif 000028
【図２７】
2006250887.tif 000029
【図２８】
2006250887.tif 000030
【図２９】
2006250887.tif 000031
【図３０】
2006250887.tif 000032
【図３１】
2006250887.tif 000033
【図３２】
2006250887.tif 000034
【図３３】
2006250887.tif 000035
【図３４】
2006250887.tif 000036
【図３５】
2006250887.tif 000037
【図３６】
2006250887.tif 000038